(57)【要約】【課題】  マッサージ機の操作選択設定によく通じた慣用被施療者と、そうでない初心被施療者との両者が、リモコンにおいて快適に該操作選択設定が実行できるように構成したマッサージ機を提供する。【解決手段】  マッサージ機構３ａを具備すると共に表示部５４ａ及び操作部５５ａを設けたリモコン５ａにおける被施療者の操作選択設定に基づいて操作されるマッサージ機１ａであって、該操作選択設定を所定の選択設定猶予時間毎に順次リモコン５ａの表示部５４ａに表れる選択設定画面でそれぞれ実行する操作選択設定行程を備え、該操作選択設定行程は選択設定猶予時間を異にして複数種設けられたものとする。【選択図】  図４
2009011689.tif 000002
【特許請求の範囲】
【請求項１】
マッサージ機構を具備すると共に表示部及び操作部を設けたリモコンにおける被施療者の操作選択設定に基づいて操作されるマッサージ機であって、該操作選択設定を所定の選択設定猶予時間毎に順次リモコンの表示部に表れる選択設定画面でそれぞれ実行する操作選択設定行程を備え、該操作選択設定行程は選択設定猶予時間を異にして複数種設けられたことを特徴とするマッサージ機。
【請求項２】
前記操作選択設定行程として被施療者が標準的に慣用する標準選択設定行程と、該標準選択設定行程よりも前記選択設定猶予時間を長く、または該選択設定猶予時間を無限に設定した初心被施療者のための簡単選択設定行程とを設けたことを特徴とする請求項１記載のマッサージ機。
【請求項３】
前記マッサージ機構が複数の動作モードを組合せた自動コースを複数実行可能とし、前記操作選択設定行程において、マッサージ機構における複数の動作モードまたは複数の自動コースに関する前記操作選択設定を実行することを特徴とする請求項１又は請求項２記載のマッサージ機。
【請求項４】
前記簡単選択設定行程を前記リモコンの前記表示部における前記選択設定画面の初期画面で選択実行できるようにしたことを特徴とする請求項２記載のマッサージ機。
【請求項５】
前記簡単選択設定行程を前記リモコンの前記操作部に設けたボタンで選択実行できるようにしたことを特徴とする請求項２記載のマッサージ機。
【発明の詳細な説明】
【技術分野】
【０００１】
本発明は、マッサージ機構を具備して被施療者にマッサージを実施するマッサージ機であり、詳しくはマッサージ機の操作選択設定によく通じた慣用被施療者と、そうでない初心被施療者との両者が、リモコンにおいて快適に該操作選択設定が実行できるように構成したマッサージ機に関するものである。
【背景技術】
【０００２】
従来、椅子型またはマット型本体などにマッサージ機構を具備して被施療者の身体をマッサージするマッサージ機は、揉みや叩き、またさすりやローリングなどの多様な形態のマッサージを実施できるよう構成されており、中でも様々なマッサージモードを組合せた複数の自動コースを実行可能としたものが存在している。
【０００３】
例えば、図１０に示すように、被施療者Ｍが着座する座部１と、同座部１を支持する基台部２と、前記座部１の後側に倒伏自在にリクライニングできるように連結された背もたれ部３と、座部１の前側上部近傍に設けた枢支部１ａを中心に上下方向へ揺動可能に連結した脚載部４とを具備する椅子型のマッサージ機Ａが開示されている。
【０００４】
このマッサージ機Ａは、様々なマッサージ動作を操作手段であるリモコンＲの指令信号に基づいて実行させるようにしており、これによって疲労回復、リフレッシュ、リラックスなどを目的として様々なマッサージモードを組合せた複数の自動コースを実行可能としている。
【０００５】
すなわち、図１１に示すように該リモコンＲは上側部において液晶表示機を構成する表示部Ｋが設けられ、その下側に複数のボタン群からなる操作部Ｓが設けられたものであり、先ず、リモコンＲのスタート／収納ボタンＳ３が操作されると、リモコンＲの表示部Ｋには図１１に示すような待機状態を示す待機中定常画面が表示され、この待機状態からリモコンＲのスタートボタンＳ５ａ〜Ｓ５ｃのいずれかが操作されるか、あるいは十字キーＳ１を用いてスタートボタンＳ５ａ〜Ｓ５ｃのいずれかが選択されると、スタートボタンＳ５がオンとなり、３秒程度の間、図１２に示す自動コース選択画面を表示部Ｋに表示させ、その間に変更操作がなされなければ、読み出した初期値にしたがって自動コースによるマッサージを開始する。尚、自動コース選択画面における選択及び決定の操作については、十字キーＳ１の上下ボタンＳ１１や左右ボタンＳ１２で選択し、決定ボタンＳ２で決定することができる。
【０００６】
このようにマッサージ機Ａでは、自動コースを実行させることのできる複数のボタン（スタートボタンＳ５ａ〜Ｓ５ｄ、自動コースボタンＳ６など）がリモコンＲに備えられ、これらのボタン操作後は、いずれも図１２に示した自動コース選択画面が表示され、表示中の３秒以内には各種の自動コースが選択可能であり、選択されないまま３秒経過するとデフォルトで設定されたコースが自動的に開始されるようになっている。
【特許文献１】特開２００７−７２０８号公報（第１８頁の図１、第１９頁の図９、第２０頁の図１４）
【発明の開示】
【発明が解決しようとする課題】
【０００７】
ところで、前述のような様々なマッサージモードを組合せた複数の自動コースを実行可能としたマッサージ機は、リモコンのスタートボタンの実行後、自動コース選択画面となり、選択設定猶予時間である３秒間のような短時間内においてのみ各種の自動コースが選択可能となっており、その間に自動コースの選択操作がなされず放置されると、自動的にマッサージコースが開始されるようになっている。
【０００８】
このようなリモコンにおける自動コースの設定操作行程について、日常慣用的にマッサージ機を使用しているような被施療者にとっては、この操作選択設定をよく理解しているため、短時間であっても自動コースの選択設定猶予時間内で十分余裕をもって所望する自動コースを選択することができる。
【０００９】
しかし、マッサージ機を使用して間もない操作設定の不慣れな初心者や高齢者など、リモコンにおける選択設定操作を苦手に感じる人にとっては、自動コースの選択設定猶予時間内に選択設定を完了させることが間に合わず、勝手にデフォルト設定の自動コースが開始したりするという問題があった。
【００１０】
この問題を解消すべく、リモコンにおける選択設定猶予時間を延長するという手段を講じることも考えられるが、慣用被施療者が自動コースにおける選択設定時において、デフォルトで設定された自動コースの実施を所望する場合、この選択設定猶予時間が過ぎるまで待たなければならず、たとえ３秒間といった短時間であっても苛立たしく感じたりするという懸念が残存する。
【００１１】
そこで、本発明は、上記問題点を解消する為に成されたものであり、マッサージ機の操作選択設定によく通じた慣用被施療者と、そうでない初心被施療者との両者が、リモコンにおいて快適に該操作選択設定が実行できるように構成したマッサージ機を提供する事を目的とするものである。
【課題を解決するための手段】
【００１２】
すなわち、本発明のマッサージ機は、マッサージ機構を具備すると共に表示部及び操作部を設けたリモコンにおける被施療者の操作選択設定に基づいて操作されるマッサージ機であって、該操作選択設定を所定の選択設定猶予時間毎に順次リモコンの表示部に表れる選択設定画面でそれぞれ実行する操作選択設定行程を備え、該操作選択設定行程は選択設定猶予時間を異にして複数種設けられたものとしている。
【００１３】
また、本発明のマッサージ機は、前記操作選択設定行程として被施療者が標準的に慣用する標準選択設定行程と、該標準選択設定行程よりも前記選択設定猶予時間を長く、または該選択設定猶予時間を無限に設定した初心被施療者のための簡単選択設定行程とを設けたものとしている。
【００１４】
さらに、本発明のマッサージ機は、前記マッサージ機構が複数の動作モードを組合せた自動コースを複数実行可能とし、前記操作選択設定行程において、マッサージ機構における複数の動作モードまたは複数の自動コースに関する前記操作選択設定を実行するものとしている。
【００１５】
また、本発明のマッサージ機は、前記簡単選択設定行程を前記リモコンの前記表示部における前記選択設定画面の初期画面で選択実行できるようにしたものとしている。
【００１６】
さらにまた、本発明のマッサージ機は、前記簡単選択設定行程を前記リモコンの前記操作部に設けたボタンで選択実行できるようにしたものとしている。
【発明の効果】
【００１７】
よって、本発明のマッサージ機は、マッサージ機構を具備すると共に表示部及び操作部を設けたリモコンにおける被施療者の操作選択設定に基づいて操作されるマッサージ機であって、該操作選択設定を所定の選択設定猶予時間毎に順次リモコンの表示部に表れる選択設定画面でそれぞれ実行する操作選択設定行程を備え、該操作選択設定行程は選択設定猶予時間を異にして複数種設けられたものとしているため、リモコンにおいて被施療者の慣用程度に応じたマッサージ機の操作選択設定が実行できる。
【００１８】
また、本発明のマッサージ機は、前記操作選択設定行程として被施療者が標準的に慣用する標準選択設定行程と、該標準選択設定行程よりも前記選択設定猶予時間を長く、または該選択設定猶予時間を無限に設定した初心被施療者のための簡単選択設定行程とを設けたものとしているため、慣用被施療者及び初心被施療者の両者が快適にリモコンにおける操作選択設定を実行できる。
【００１９】
すなわち、慣用被施療者のために選択設定猶予時間を短時間の適切な設定とすると共に、初心被施療者がゆとりをもって選択設定できるよう十分長い余裕のある選択設定猶予時間を設定することができる。
【００２０】
さらに、本発明のマッサージ機は、前記マッサージ機構が複数の動作モードを組合せた自動コースを複数実行可能とし、前記操作選択設定行程において、マッサージ機構における複数の動作モードまたは複数の自動コースに関する前記操作選択設定を実行するものとしているため、被施療者に応じた所望のマッサージプログラムによるマッサージを実施できる。
【００２１】
また、本発明のマッサージ機は、前記簡単選択設定行程を前記リモコンの前記表示部における前記選択設定画面の初期画面で選択実行できるようにしたものとしているため、初心被施療者が戸惑うことなく、確実に簡単選択設定行程を選択できる。
【００２２】
さらにまた、本発明のマッサージ機は、前記簡単選択設定行程を前記リモコンの前記操作部に設けたボタンで選択実行できるようにしたものとしているため、該簡単選択設定行程を選択するためのリモコンの前記表示部における前記初期画面を省略でき、慣用被施療者及び初心被施療者の両者にとって操作選択設定行程における操作選択設定を敏速に実行できる。
【発明を実施するための最良の形態】
【００２３】
以下に、本発明のマッサージ機を、図面に示す一実施形態に基づきこれを詳細に説明する。
図１は本発明のマッサージ機の一実施形態を示す斜視説明図であり、図２及び図３は本発明のマッサージ機の一実施形態を示す使用状態説明図であり、図４は本発明のマッサージ機における操作選択設定行程に関する一実施形態を示す説明図であり、図５乃至図８は本発明のマッサージ機におけるリモコンの表示部に関する一実施形態を示す説明図であり、図９は本発明のマッサージ機におけるリモコンに初心者モードボタンを設けた一実施形態を示す部分説明図であり、図１０乃至図１２は従来技術を示す参考図である。
【００２４】
すなわち、本発明のマッサージ機は、図１及び図２の実施形態で示したように、少なくとも被施療者の臀部または大腿部が当接する座部１１ａと、身体背部が当接する背当て部１２ａとから椅子型に構成したマッサージ機１ａである。また、該背当て部１２ａは該座部１１ａの後側に傾倒移動可能に連結している。
【００２５】
さらに前記マッサージ機１ａは、前記座部１１ａの前側に上下方向へ揺動可能に連結した足載せ部１３ａと、前記座部１１ａの両側に肘掛け部１４ａとを設けている。
【００２６】
また、前記背当て部１２ａの左右両側には、前方に向かって突出した側壁部２ａを夫々配設している。
【００２７】
図１に示すように、前記背当て部１２ａには、その中央部に左右一対の施療子３１ａを備えた昇降自在のマッサージ機構３ａを設けている。該マッサージ機構３ａは、背当て部１２ａの内部左右に設けた左右一対のガイドレール３２ａに沿って背当て部１２ａの上端から下端にかけて昇降するようにしている。
【００２８】
前記左右一対の施療子３１ａは、図示しないがモータ等を駆動源とした機械式のマッサージ機構であり、前記背当て部１２ａに凭れた被施療者の首部、背部、腰部、臀部等の背面全域を、たたき、揉み、ローリング、振動、指圧などの多様な形態で施療するようにしたものである。
【００２９】
また、前記マッサージ機１ａの各所定の位置には、空気の給排気により膨縮を繰り返す事が可能な膨縮袋４ａを夫々埋設している。該膨縮袋４ａは、エアーコンプレッサー及び各膨縮袋４ａに空気を分配するための分配器等からなる空気給排装置４１ａによる給排気により膨縮動作を行うようにしており、該空気給排装置４１ａはこれを配置できる空間部であればどの位置であってもよいが、図面では座部１１ａの下部空間に配備している例を示した。
【００３０】
前記空気給排装置４１ａによる各前記膨縮袋４ａの膨縮動作によって、被施療者の所定の施療部位を押圧、指圧等を実施する事ができ、また、これを対となるよう複数の膨縮袋４ａを対設させる事により挟圧等の施療も行う事ができる。更に、制御装置等をこれに設けて膨縮袋４ａを膨張状態に保つようにした場合は、被施療者の所定の部位を一定の時間保持する事も可能である。
【００３１】
図１の場合、前記マッサージ機１ａは、前記背当て部１２ａの左右側上部、及び左右側下部に夫々膨縮袋４ａを設けており、被施療者の背中及び腰部を押圧、または左右両側から挟圧するような施療を行うよう構成している。
【００３２】
また、前記座部１１ａには、後部側に臀下部用や腿部用の膨縮袋４ａを夫々埋設して、主に下方から上方に押圧する施療を行うようにしている。
【００３３】
前記足載せ部１３ａは、身体の脛部及び足先部を夫々嵌入させる左右一対の凹部を夫々形成したものであり、各凹部に膨縮袋４ａを左右一対として対設するよう配設させて、凹部内部で人体の脛部及び足先部に対する挟圧施療を実施するようにしている。
【００３４】
前記左右の肘掛け部１４ａの上部には、身体の手や前腕を嵌入保持して施療するための凹部を形成する腕保持部１５ａを設けており、図１の場合、該腕保持部１５ａの内部において、上下に各膨縮袋４ａを夫々対設するよう配設し、凹部内部で身体の手や前腕に対する挟圧施療を実施するようにしている。
【００３５】
前記左右側壁部２ａは、座部１１ａに着座した被施療者の肩または上腕側方となる位置に配設しているが、該左右側壁部２ａの内側面には、夫々左右方向に重合した膨縮袋４ａ・４ａを並列状態に埋設している。これら重合した膨縮袋４ａ・４ａによって、被施療者の身体側部を押圧マッサージしたり、また被施療者の上半身を左右から固定して、前記マッサージ機構３ａの前記施療子３１ａによる背部からの施療を効果的に実施したりすることが可能となる。
【００３６】
上記のように構成されたマッサージ機１ａは、図１及び図３に示すように表示部５４ａ及び操作部５５ａを設けたリモコン５ａにおける被施療者の操作選択設定に基づいて操作されるようにしている。
【００３７】
すなわち、前記リモコン５ａによって前記膨縮袋４ａや前記マッサージ機構３ａの動作を指示したり、主電源の入切、前記空気給排装置４１ａ及び各前記膨縮袋４ａによる施療の種類や強度等の選択、その他、前記背当て部１２ａのリクライニングや前記足載せ部１３ａの上下動の調整等、マッサージ機１ａの機能におけるほとんどの操作を一局集中的に行うようにしている。
【００３８】
また、前記表示部５４ａを液晶画面とすると共に、前記操作部５５ａを操作ボタンまたはダイヤル等で構成するものとし、被施療者は表示部５４ａを見ながら操作部５５ａで前記のようにマッサージ機１ａの所望する機能を選択指示するようにしている。また、図示しないが音声による操作指示が行えるようにしても良い。
【００３９】
加えて、前記リモコン５ａは図２及び図３に示すように、前記マッサージ機１ａにおける被施療者の片側（図面では右側）の前記肘掛け部１４ａから立設する支持部材５１ａの上端に、可動ジョイント部材５３ａを介して角度調節可能に設けられた保持部材５２ａに脱着可能に設けられている。
【００４０】
尚、前記肘掛け部１４ａの他に、前記リモコン５ａを前記腕保持部１５ａや前記背当て部１２ａ、または前記側壁部２ａの側部に設けてもよい。
【００４１】
また、前記リモコン５ａによる前記マッサージ機１ａの操作に伴う制御は、図示しないが内装された電子回路によるものとしており、該電子回路内のメモリに記憶されたプログラムに基づいてマッサージ機１ａは動作を実施するようにしている。
【００４２】
次に、前記操作選択設定とその行程について説明する。本発明のマッサージ機１ａは、図４に示すように該操作選択設定を所定の選択設定猶予時間毎に順次前記リモコン５ａの表示部５４ａに表れる選択設定画面でそれぞれ実行する操作選択設定行程を備えたものとしており、また該操作選択設定行程は選択設定猶予時間を異にして複数種設けられたものとしている。
【００４３】
この図４の実施例の場合、複数の前記操作選択設定行程として標準選択設定行程と簡単選択設定行程とを設けている。
【００４４】
前記標準選択設定行程の前記選択設定猶予時間を慣用被施療者のために比較的短時間の各５秒とし、前記簡単選択設定行程においては初心被施療者がゆとりをもって選択設定できるよう十分長い余裕のある３０秒または∞（無限）としている。
【００４５】
よって、被施療者はマッサージ機１ａの慣用程度に応じて前記標準選択設定行程、または簡単選択設定行程のどちらかで前記操作選択設定を実行できる。
【００４６】
尚、前記操作選択設定行程として標準選択設定行程と簡単選択設定行程とを設けたが、これに限らず、他にも図示しないが被施療者が予め記憶した操作選択設定を実行するための記憶選択設定行程を選択実行できるようにして、前記表示部５４ａにおける操作選択設定の短縮を図れるようにしてもよい。
【００４７】
また、前記標準選択設定行程の前記選択設定猶予時間を５秒とし、前記簡単選択設定行程においては３０秒または∞（無限）としたが、これに限らず慣用被施療者及び初心被施療者に応じて適宜設定することができるし、簡単選択設定行程における３０秒などの限定時間と、∞とする時間とを選択可能としてもよい。
【００４８】
さらに、前記リモコン５ａの前記操作部５５ａによる操作がなされない場合は、該選択設定猶予時間の満了後、次の選択設定画面に移るようにしている。
【００４９】
上記の本発明のマッサージ機１ａはさらに、前記マッサージ機構３ａや前記空気給排装置４１ａ及び前記膨縮袋４ａのマッサージ機構が複数の動作モードを組合せた自動コースを複数実行可能とし、前記操作選択設定行程において、マッサージ機構における複数の動作モードまたは複数の自動コースに関する前記操作選択設定を実行するものとしている。
【００５０】
例えば、図５に示すように、前記リモコン５ａの前記表示部５４ａにおいて、前記複数の自動コースを選択可能とする「自動」を選択可能としている。
【００５１】
この「自動」の選択設定後、前記表示部５４ａは図６に示す画面となり、「疲労回復」コース、「リフレッシュ」コース、「やすらぎ」コースなどの中から適宜選択設定することになる。この図６の場合、「リフレッシュ」コースを選択している。
【００５２】
次に、被施療者が所望する施療部位である「首・肩」、「全身」、「腰」などのいずれかを選択設定する。図６では、「首・肩」を施療部位として選択している。
【００５３】
その後、前記表示部５４ａは図７に示すような画面となり、前記マッサージ機構３ａが被施療者の体形を検出して「首・肩リフレッシュ」自動コースを実施する。
【００５４】
尚、前記各自動コースを構成する前記動作モードをも、図示しないが被施療者が適宜選択設定できるよう構成できる。
【００５５】
また、本発明のマッサージ機１ａは、図８に示すように前記簡単選択設定行程を前記リモコン５ａの前記表示部５４ａにおける前記選択設定画面の初期画面で選択実行できるようにしたものとしている。
【００５６】
すなわち、前記初期画面において慣用被施療者のための「標準モード」と、初心被施療者のための「初心者モード」とを選択できるように表示し、前記操作部５５ａにより操作選択決定を行うようにすることができる。
【００５７】
または、図９に示すように前記簡単選択設定行程を前記リモコン５ａの前記操作部５５ａに設けたボタンで選択実行できるようにしてもよい。
【００５８】
このように構成することで、前記簡単選択設定行程を選択するために図８に示すような前記初期画面を設ける必要が無くなり、慣用被施療者及び初心被施療者の両者にとって操作選択設定を敏速に実行できるようになる。
【００５９】
前記マッサージ機１ａに関して、これまで主に椅子型のものを示したが、これに限らず、マット型やベッド型、据え置き型、手持ち型などのあらゆる形態のマッサージ機に、上記の発明構成は適用できるものである。
【図面の簡単な説明】
【００６０】
【図１】本発明のマッサージ機の一実施形態を示す斜視説明図である。
【図２】本発明のマッサージ機の一実施形態を示す使用状態説明図である。
【図３】本発明のマッサージ機の一実施形態を示す使用状態説明図である。
【図４】本発明のマッサージ機における操作選択設定行程に関する一実施形態を示す説明図である。
【図５】本発明のマッサージ機におけるリモコンの表示部に関する一実施形態を示す説明図である。
【図６】本発明のマッサージ機におけるリモコンの表示部に関する一実施形態を示す説明図である。
【図７】本発明のマッサージ機におけるリモコンの表示部に関する一実施形態を示す説明図である。
【図８】本発明のマッサージ機におけるリモコンの表示部に関する一実施形態を示す説明図である。
【図９】本発明のマッサージ機におけるリモコンに初心者モードボタンを設けた一実施形態を示す部分説明図である。
【図１０】従来技術を示す参考図である。
【図１１】従来技術を示す参考図である。
【図１２】従来技術を示す参考図である。
【符号の説明】
【００６１】
１ａ  マッサージ機
１１ａ  座部
１２ａ  背当て部
１３ａ  足載せ部
１４ａ  肘掛け部
１５ａ  腕保持部
２ａ  側壁部
３ａ  マッサージ機構
３１ａ  施療子
３２ａ  ガイドレール
４ａ  膨縮袋
４１ａ  空気給排装置
５ａ  リモコン
５１ａ  支持部材
５２ａ  保持部材
５３ａ  可動ジョイント部材
５４ａ  表示部
５５ａ  操作部
【図１】
2009011689.tif 000003
【図２】
2009011689.tif 000004
【図３】
2009011689.tif 000005
【図４】
2009011689.tif 000006
【図５】
2009011689.tif 000007
【図６】
2009011689.tif 000008
【図７】
2009011689.tif 000009
【図８】
2009011689.tif 000010
【図９】
2009011689.tif 000011
【図１０】
2009011689.tif 000012
【図１１】
2009011689.tif 000013
【図１２】
2009011689.tif 000014